(57)【要約】  パケット(124)を収容し、順次供出するための供出コンテナ(12,212)およびコンテナを形成するためのカートンブランク(10,210)が開示されている。引き裂きライン(129)に沿ってパケット(124)を切り離し可能に連結して形成されたパケット連結体は巻かれるか折り畳まれ、以後の供出のためにコンテナ内に置かれる。各パケット(124)の取り出しを妨げるチャイルドプルーフ機能は、対向するパネル(16,24)間に、あるいは対向するパネルと、パケット(124)に横向き圧力を加える、折り込まれたパネル(224,239)の縁部と間に、ある長さのパケットを送り込むことを要する。ある実施形態において、パネル(16,24)は各パケット(124)の取り出しを妨げるために、ブリスターのようなパケットの特徴部を捕らえるかそれと係合する開口(64,92)を含む。パケット(124)の取り出しを妨げるためにパケットをつまむことを可能とするアクセス用切欠き部(56,256,290)は狭く構成される。
2009532281.tif 000002
【特許請求の範囲】
【請求項１】
パケットディスペンサーであって、
パケットディスペンサー(１２,２１２)を形成するために、互いに連係可能に連結された複数のパネルおよびタブであって、第１のパネル(１６,２１６)および少なくとも第２のパネル(２４,２２４)が、ある長さの連結パケット(１０８)を制限的に受け容れるチャネル(５５)を形成するよう配置された複数のパネルおよびタブと、
ある長さの連結パケット(１０８)であって、少なくとも一つのパケット(１２４)は少なくとも一つの物品(１２１)を含み、前記パケット(１０８)は前記ディスペンサー内に収容されている、ある長さの連結パケット(１０８)と、
を具備してなることを特徴とするパケットディスペンサー。
【請求項２】
前記第１のパネル(１６,２１６)はさらに、供給開口(６４)を具備してなることを特徴とする請求項１に記載のパケットディスペンサー。
【請求項３】
前記第２のパネル(２４,２２４)はさらに、ブリスター開口(９２)を具備してなることを特徴とする請求項１に記載のパケットディスペンサー。
【請求項４】
前記１および第２のパネル(１６,２２４)の少なくとも一方はさらに、除去可能な親指用切欠き部(５６,２５６)を具備してなることを特徴とする請求項１に記載のパケットディスペンサー。
【請求項５】
前記１および第２のパネル(２４,２１６)の少なくとも一方はさらに、アクセス用切欠き部(９０,２９０)を具備してなることを特徴とする請求項１に記載のパケットディスペンサー。
【請求項６】
パケットを制限的に供出するための方法であって、
除去可能な親指用切欠き部(５６,２５６)を有する第１のパネル(１６,２２４)、ならびに第２のパネル(２４,２１６)を含む、互いに連係可能に連結された複数のパネルおよびタブを具備してなる少なくとも一つのブランク(１０,１１０)を得るステップと、
パケットディスペンサー(１２,２１２)が形成されるように前記少なくとも一つのブランク(１０,１１０)を折り込むステップであって、前記第１のパネル(１６,２２４)および前記第２のパネル(２４,２１６)は制限チャネル(５５)が形成されるように配置されるステップと、
を具備することを特徴とする方法。
【請求項７】
前記ディスペンサー(１２,２１２)内に、ある長さの連結パケット(１０８)を配置するステップと、前記制限チャネル(５５)に前記パケット(１０８)の少なくとも一部(１０７)を通すステップと、をさらに具備することを特徴とする請求項６に記載の方法。
【請求項８】
前記親指用切欠き部(５６,２５６)を除去するステップと、前記制限チャネル(５５)を経て少なくとも一つのパケット(１２４)を引き出すステップと、をさらに具備することを特徴とする請求項７に記載の方法。
【請求項９】
供給開口(６４)を含む少なくとも一つのブランク(１２,２１２)を得るステップを、さらに具備することを特徴とする請求項６に記載の方法。
【請求項１０】
前記供給開口(６４)に前記パケット(１０８)を通すステップを、さらに具備することを特徴とする請求項７に記載の方法。
【請求項１１】
ブリスター開口(９２)を含む少なくとも一つのブランク(１２,２１２)を得るステップを、さらに具備することを特徴とする請求項７に記載の方法。
【発明の詳細な説明】
【技術分野】
【０００１】
本発明は概して、物品または製品を供出する器具および方法に関し、特に、ブリスター、パウチなどのような切り離し可能に連結されたパケットを供出する器具および方法に関する。
【背景技術】
【０００２】
パーソナルケア産業においては、単位服用量薬剤、ピル、タブレット、カプセル、コンドーム、コンタクトレンズなどのような、さまざまな物品あるいは製品を包装するために、さまざまなタイプのコンテナが開発されている。ある典型的なタイプのパッケージングすなわちパケットは既存のブリスターパックであり、もう一つがパウチである。典型的なブリスターパックにおいて、別個のブリスターを含むプラスチックシェルあるいは小さな消費物品を保持するためにブリスターのトレイを製造するために、熱成形技術が使用される。裏当てシート(一般にフォイル材を具備してなる)がシェルの裏面に張り付けられており、これによって、対応するブリスター内に少なくとも一つの物品が包含される。ブリスターから物品を取り出すために、ユーザーはブリスターに圧力を加え、裏当てシートを破るために物品を押し出す。物品を含むブリスターパックあるいはトレイは、たいてい、その中で物品を安全に貯蔵し保護するための外スリーブ内に挿入される。外スリーブは、たいてい、チャイルドプルーフ機能、たとえば、スリーブからブリスターパックまたはトレイを分離可能に移動させるよう構成されたロック機構を有する。従来型のブリスターパッケージの欠点は、ブリスターパックあるいはトレイが外スリーブからロック可能に取り出された際に、パッケージの全ての内容物が露出し、物品の全てが一度に使用可能な状態となってしまうことである。同様の欠点は他のタイプのパケットにも存在する。
【０００３】
一つ以上のパケットを供出するために、これに代わる供出コンテナが考えられた。こうした既存の供出コンテナは、概して、チャンバーを有するコンテナと、リリーススロットと、折り畳まれるか巻回されそして供出コンテナ内に収容された複数の分離可能に連結されたパケットとを具備してなる。パケットは、リリーススロットからブリスターをスライド式に移動させることによって取り出される。一般に、こうした供出コンテナは製造がコストが比較的高くつく。なぜなら、こうしたコンテナは、製造および組み立てに余分な時間を必要とする複数の複雑な部材を含むからである。供出コンテナのさらなる欠点は、それがチャイルドプルーフ安全機能を持たないことである。パケッは供出コンテナから連続的に取り出すことができ、この結果、子供は、一度に全てのパケットを手に取るために、ある長さの連結パケットを連続的に引き出すことができる。
【０００４】
パケット内に包装されたピルあるいは薬剤などの消費物品を保持するパッケージが、一度に多量の物品が供出されるのを制限するチャイルドプルーフ特性を有していることが望ましい。さらに、パッケージはその内容物の容易な取り出しを可能とするように高齢者にとって使いやすいものであることが望ましい。
【発明の開示】
【発明が解決しようとする課題】
【０００５】
したがって、安価で、軽量で、簡素で、製造および組み立てが容易であり、かつ規定された様式での供出のための多重協調動作を必要とするチャイルドプルーフ安全機能を備えた供出コンテナが求められている。また、たとえユーザーの手先の器用さおよび筋力が低下している場合でも、些細な操作でパッケージ内容物の簡単な取り出しを可能とする、高齢者にとって使いやすい器具が求められている。
【課題を解決するための手段】
【０００６】
本発明は、一つ以上のブリスターがコンテナから取り出されるのを防止するためにブリスターの一つの縁部と係合する親指用切欠き部を備えた供出コンテナを提供することによって、公知技術の欠点および未解決の問題を解決する。親指用切欠き部は、ブリスターの一つの縁部を露出させるために、供出コンテナの上面から分離可能に除去される。
【０００７】
他の態様では、弾性パネル、ならびにブリスター帯の少なくとも一つのブリスターを受けるためのブリスター開口を含む供出コンテナを提供することによって、チャイルドプルーフ性および高齢者にとっての使いやすさに関する要求を満たす供出コンテナが提供される。弾性パネルは、ブリスター開口を経てブリスターを付勢するためにブリスター開口の真下に対応して整列する。供出コンテナからブリスターを取り出そうとすると、ブリスターはブリスター開口の縁部と係合し、これによって供出コンテナからのブリスターの取り出しが阻止される。ブリスター帯は、少なくとも一つの物品を含む複数のブリスターを具備してなり、各ブリスターは、ブリスター帯から一つのブリスターを容易に分離させるための引き裂きラインに沿って互いに連結されている。各ブリスター帯はアコーディオン状に折り畳まれ、そして供出コンテナ内に挿入されるが、これは、より多数のブリスターを供出コンテナ内に収容し、これによって小さなスペースを利用することを可能とする。供出コンテナのサイドパネルに対して圧力が加えられ、そして同時にユーザーは、一度に少なくとも一つのブリスターを順次供出するために、ブリスター帯を把持して引き出す。供出コンテナは、一度に少なくとも一つのブリスターを取り出すために、ユーザーによる同時操作の必須の協調および組み合わせを要するセキュリティ機能を備える。
【０００８】
本発明の一実施形態によれば、供出コンテナを形成するために互いに連係可能に連結された複数のパネルおよび複数のタブを具備してなる供出コンテナが提供されるが、ここで第１のパネルはブリスター開口を備え、かつ第２のパネルは親指用切欠き部、弾性パネルおよび第３のパネルを備える。これらのパネルは、弾性パネルがブリスター開口と対応して整列するよう第１のパネルが第２のパネル上に折り込まれるように、折り曲げ可能に配置される。
【０００９】
本供出コンテナはさらに、複数の一列に連結されたブリスターからなるブリスター帯を含むが、ここで、少なくとも一つのブリスターは少なくとも一つの物品を収容し、かつ、ブリスター帯は、ブリスターの一つの縁が親指用切欠き部と分離可能に係合するよう第１のパネルと第２のパネルとの間に挿入される。弾性パネルは、ブリスター開口を介して、少なくとも一つのブリスターを付勢する。
【００１０】
ブリスター帯はアコーディオン状に折り畳まれ、そして供出コンテナ内に収容されるのが有利である。少なくとも一つのパネルは、容易にブリスターを把持しかつ供出コンテナからそれを引き出すためにアクセス用切欠きを備える。
【００１１】
本発明で説明する実施形態に関して、特許請求の範囲に包含されるものと同様、供出コンテナは、耐引き裂き性を付与するために少なくとも部分的に積層されてもよく、あるいは積層されなくてもよく、しかも板紙、ボール紙、プラスチック、耐引裂き板紙材から構成されてもよい。さらに、供出コンテナはさまざまな形状およびサイズを含むように構成することができ、しかも再使用可能であっても、あるいは再使用可能でなくてもよい。さらに、代替パッケージの実施形態は、供出コンテナあるいはブリスター帯あるいはその両方の表面上に印刷された情報を含んでいても、あるいはそれを含んでいなくてもよい。これに代えて、供出コンテナは、情報を含むインサートを格納あるいは収容するためのポケットを備えた外部パネルを有していてもよい。情報の例としては、薬剤あるいは製品情報、遵守指示、クーポン、促進データ、日付、時間、あるいはその他の情報が挙げられる。
【００１２】
本発明は物品を包装するための方法を含む。ある実施形態においては、第１のステップは基体素材からブランクを切り取ることであり、当該ブランクは複数のタブおよび互いに連係可能に連結された複数のパネルを具備してなり、かつ、第１のパネルはブリスター開口を含み、そしてさらに第２のパネルは親指用切欠き部、弾性パネルおよび第３のパネルを備える。ブランクは続いて供出コンテナを形成するために折り込まれる。第１のパネルは第２のパネル上に折り込まれ、これによって弾性パネルはブリスター開口と対応して整列する。次なるステップは、一列に連結された複数のブリスターを含むブリスター帯を形成し、そして少なくとも一つの物品を少なくとも一つのブリスター内に装填することである。
【００１３】
本包装方法はまた、第１のパネルと第２のパネルとの間にブリスター帯を挿入することを含むが、ここで少なくとも一つのブリスターはブリスター開口を経て突出し、かつ、ブリスターの一つの縁は少なくとも一つのブリスターに対するアクセスを防止するために親指用切欠き部と分離可能に係合する。さらなるステップは、ブリスター帯をアコーディオン状に折り込むこと、そして供出コンテナ内にアコーディオン状に折り込まれたブリスター帯を収容することを含む。
【００１４】
本発明の他の実施形態は、供出コンテナから少なくとも一つの物品を供出する方法を含む。第１のステップは、一列に連結された複数のブリスターを含むブリスター帯をアコーディオン状に折り畳むことであるが、ここで少なくとも一つのブリスターは少なくとも一つの物品を保持する。さらなるステップは、供出コンテナ内にアコーディオン状に折り込まれたブリスター帯を密封することを含むが、ここで、ブリスターの一つの縁は親指用切欠き部と分離可能に係合する。次なるステップは、ブリスターの一つの縁を露出させるために、穿孔刻線に沿って、供出コンテナから親指用切欠き部を除去することである。第１のアクセスステップは、供出コンテナの複数のパネル圧力を加えることを含むが、これによって第１のパネルは、ブリスターが第１のパネルに形成されたブリスター開口の縁部を通過することを可能とするために上方に撓む。次なるアクセスステップは、同時に、少なくとも一つのブリスターを把持すると共に供出コンテナからそれを引き出すこと、および引き裂きラインに沿って少なくとも第１のブリスターをちぎり取ることを含む。このアクセスステップは、一度に少なくとも一つのブリスターを順次供出するために繰り返される。
【００１５】
任意選択で、供出コンテナは指示あるいは表示を含んでいてもよく、この指示あるいは表示は、供出コンテナから少なくとも一つのブリスターを取り出すために供出コンテナにユーザーが圧力を加えるべき位置および／または方向をユーザーに示すために、複数のパネルの一つ以上に印刷されていても、あるいはそれに形成されていてもよい。さらに、供出コンテナあるいはブリスター帯は、コンテナを、さらなるブリスターが充填されたものに変えることを考慮する時期であるかどうかをユーザーに示すためのインジケータを含んでいても、あるいはそれを含んでいなくてもよい。
【発明を実施するための最良の形態】
【００１６】
要求されるとおりに、以下、本発明の実施形態を詳しく説明する。開示する実施形態は本発明の代表例に過ぎず、これは、さまざまなおよび代替的形態で、そしてその組み合わせとして具現化できることを理解されたい。本明細書中で用いているように、「代表例」との語句は、例証、見本、モデルありいはパターンとして役立つ実施形態に注意を向けるために包括的に用いている。図面は必ずしも一定の率で拡縮されてはおらず、しかもいくつかの特徴部は、特定の構成要素の細部を示すために誇張されるかあるいは最小化されている。他の実例では、本発明が不明瞭となるのを避けるために、よく知られた構成要素、システム、素材あるいは方法に関する説明は省略する。それゆえ、本明細書中に開示された具体的な構成および機能は限定として解釈すべきではなく、単に、特許請求の範囲の記載の基礎として、そして本発明をさまざまに利用するために当業者に教示するための代表的基礎として解釈すべきである。
【００１７】
さらに、本発明は、さまざまな物品あるいは製品の包装、貯蔵および供出に利用できることを理解されたい。したがって、本明細書中で使用している「物品」あるいは「製品」との用語は、ユーザーが安全を維持しかつ規制された方式での供出を望むであろう、事前包装されるかあるいはさもなければ切り離し可能に連結された、小さくかつ持ち運び可能な物品あるいは製品の全ての様式を含む。
【００１８】
図面(全図を通して同じ数字は同じ要素であることを示す)を参照すると、図１は、供出用コンテナ１２(図５および図６に最もよく示されている)の一実施形態を形成するための代表的ブランクの平面図である。ここで、図示されたブランク１０は、延在すなわち接着パネル１４と、内側パネル１６と、内側サイドパネル１８と、底面パネル２０と、第１のサイドパネル２２と、上面パネル２４と、第２のサイドパネル２６とを具備する。これらのパネル１４,１６,１８,２０,２２,２４および２６は、それぞれ、折り曲げライン２８,３０,３２,３４,３６および３８に沿って、折り曲げ可能に連結されている。
【００１９】
内側パネル１６はまた、第１の内側延在パネル４０および第２の内側延在パネル４２に対して、それぞれ折り曲げライン４４および４６に沿って折り曲げ可能に連結されている。第２の内側延在パネル４２は、切断ライン４３に沿って内側サイドパネル１８から切り離されている。第１の内側タブ４８および第２の内側タブ５０は、第１の内側延在パネル４０および第２の内側延在パネル４２に対して、それぞれ折り曲げライン５２および５４に沿って折り曲げ可能に連結されている。内側パネル１６はさらに親指用切欠き部５６を備えるが、これは、フルデプス(full depth)切り込み６０および折り曲げライン６２によって画定されたストッパータブ５９を具備してなる。親指用切欠き部５６はさらに、それを分離可能に取り除くための破断可能な、すなわち切断ライン５８によって画定されている。内側パネル１６は、フルデプス切り込み６６によって画定された供給開口６４を備える。供給開口６４の両側から横方向に延在しているのが折り曲げライン６９である。
【００２０】
各サイドパネル２２,２６はダストカバーすなわち上端タブ７０,７２および底端パネル７４,７６を備えるが、これらは、それぞれ折り曲げライン７８,８０,８２および８４に沿って折り曲げ可能に連結されている。図示する実施形態における各ダストカバータブ７０,７２は、それぞれ、凹部８６および８８を有する。
【００２１】
上面パネル２４は、ここでは、ブリスター開口９２と対応して整列するアクセス用切欠き部９０を有する。図示のとおり、ブリスター開口９２は、上面パネル２４を完全に貫通して延在している。代替実施形態では、ブリスター開口９２は存在しない。上面パネル２４はさらに下端延在パネル９４を有する。下端延在パネル９４は、折り曲げライン１００に沿って上面パネル２４に対して折り曲げ可能に連結されており、しかも折り曲げライン１０４に沿って折り曲げ可能に連結された下端タブ１０２を有する。
【００２２】
ブランク１０は、板紙、ボール紙、プラスチック、耐引裂き板紙あるいはその組み合わせから構成できる。こうした素材の選択は、パッケージング要求に基づいてなされる。ブランク１０の一面あるいは両面の少なくとも一部は、ポリマーフィルムなどの補強物質によってラミネートされてもよい。このようにして、供出コンテナの外面は引き裂きに対して、より強いものとなる。このラミネーションはブランク１０の前面にわたって施す必要はない。なぜなら、裂け目が生じやすい領域のみがラミネーションを必要とするからである。ある実施形態においては、素材は、たとえば高密度ポリエチレン、ポリオレフィン、ポリエステルあるいはその組み合わせなどの二軸延伸あるいは直交積層ポリマーフィルムから選択可能である。他の実施形態では、ラミネーションは、パッケージコーナーおよび露出エッジなどのストレスポイントにおいて、これらの領域の上に、ポリマーフィルムの一つ以上の帯片を、たとえばテープとして張り付けることによって施すことができる。
【００２３】
ここで、ブランク１０の組み立てに話題を変えるが、図２は、以下で説明するように、概ね組み立てられた供出コンテナ１２を示す。以下で説明する特定の折り込み手順は、限定でも、あるいはブランク１０から供出コンテナ１２を組み立てることができる唯一の折り込み手順でもないことは、当業者にとって明らかであろう。図１および図２の両方を参照すると、延在パネル１４は、折り曲げライン２８に沿って内側に、すなわち読み手に向かって折り曲げられる。内側パネル１６、内側サイドパネル１８および底面パネル２０も、それぞれ、折り曲げライン３０,３２および３４に沿って内側に折り曲げられる。延在パネル１４の裏面は、続いて、折り曲げライン２８,３６が隣接しかつ平行となるよう、折り曲げライン３６に沿って第１のサイドパネル２２の表面に対して取り付けられる。上面パネル２４および第２のサイドパネル２６は、続いて、上面パネル２４および第２のサイドパネル２６の表面を内側パネル１６および内側サイドパネル１８の裏面に対して取り付けることができるように、残る折り曲げライン３６,３８に沿って内側に折り曲げられる。当業者には自明であるように、上記パネルは、接着剤、噛み合いパネルおよび機械的ファスナーを含む、いかなる適当な取り付け手段を用いて取り付けられてもよい。
【００２４】
図示する供出コンテナ１２の折り込み手順を引き続き説明すると、上端ダストカバー７０,７２は折り曲げライン７８,８０に沿って下方に折り曲げられかつ概ね水平ポジションに配置されるが、これによって空洞が閉塞されかつ供出コンテナ１２の上端壁が部分的に形成される。第１の内側延在パネル４０および第１の内側タブ４８も同様に、それぞれ折り曲げライン４４および５２に沿って下方に折り曲げられる。第１の内側タブ４８は、ダストカバー７０,７２の縁部および底面パネル２０の側方上端縁部によって形成される溝内に差し込まれる。この際、凹部８６および８８は、親指用切欠き部５６の半円形アーチと対応して整列する半円形アーチを形成するように重なり合う。第１の内側延在パネル４０、あるいは第１の内側タブ４８、あるいはその両方は、タブ７０,７２に対して、あるいは底面パネル２０の内面に対して、接着によって取り付けられてもよい。
【００２５】
組み立てられた際、内側パネル１６の裏面は、供給開口６４がブリスター開口９２の下になるように、上面パネル２４の表面上に載る。内側パネル１６および表面パネル２４は、図５および図６から分かるように、ブリスター帯１０８をスライド可能に受けるためのチャネル５５を形成するように組み合わさる。ディスペンサー１２の組み立てに関する説明を再開する前に、代表的なパケット帯１０８について説明する。
【００２６】
ここで図３を参照すると、ブリスター帯１０８の実施形態を形成するための、ブリスター帯ブランク１１０の形態の切り離し可能に連結されたパケットの実施形態が示されている。ブリスター帯ブランク１１０は裏面パネル１１２を具備するが、これは長手方向折り曲げライン１１６に沿って表面パネル１１４に対して、折り曲げ可能に連結されている。表面パネル１１４は複数の表面セクション１１８を含むが、これらは、引き裂きライン１２０に沿って、互いに切り離し可能に連結されている。各表面セクション１１８は、図４に最もよく示されているように、物品包含ブリスター１２４を受けるための少なくとも一つの開口１２２を含む。
【００２７】
さらに図３を参照すると、裏面パネル１１２は複数の裏面セクション１２６を含むが、これらは、引き裂きライン１２８に沿って、互いに切り離し可能に連結されている。図示するように、各裏面セクション１２６は、折り曲げライン１１６に沿って、隣接表面セクション１１８の開口１２２と対応して整列する。各裏面セクション１２６は少なくとも一つの供出開口１３０を含むが、これは、裏面パネル１１２の基体に形成された複数の貫通切り込み１３２によって形成されている。引き裂きライン１２０および１２８は、図４に最もよく示されているように、破断ライン１２９を形成するように重なり合っている。ブリスター帯１０８の幅は供給開口６４の幅よりもわずかに小さく、この結果、図７および図８に示すように、ブリスター帯１０８は、供出コンテナ１２内で、かつチャネル５５を通って分離可能にスライドできる。
【００２８】
ここでブリスター帯１０８の構造に話題を変えるが、一つ以上のブリスター１２４が、表面セクション１１８と対応する裏面セクション１２６との間に配置されている。一つ以上のブリスター１２４は、少なくとも一つ以上の物品１２１を保持する。各ブリスター１２４は対応する開口１２２を経て突出する。裏面パネル１１２は折り曲げライン１１６に沿って折り曲げられ、そして表面パネル１１８に対してしっかりと取り付けられている。少なくとも一つのブリスター１２４は、対応する裏面セクション１２６と表面セクション１１８との間に確実に挟み込まれる。ブリスター帯ブランク１１０は、板紙、ボール紙、プラスチック、耐引裂き板紙あるいはその組み合わせなどから製造できる。各ブリスター１２４は、その中に配置された物品を容易に識別可能とするために透明であっても、あるいはその中の内容物を見えないようにするために不透明であってもよい。
【００２９】
ある実施形態では、切り離し可能に連結されたパケットは折り畳まれて、ディスペンサー１２内に装填されるが、他の実施形態ではパケットは巻かれて、ディスペンサー１２内に装填される。
【００３０】
ここで、図４および図５を参照すると、図示した、巻かれるかあるいは折り畳まれた、切り離し可能に連結されたパケットをディスペンサー１２内へ装填する際、パケットは開放端部を経て挿入され、そして第１のパケットすなわちある種のリーダーは供給開口６４の背後を経由して通過させられかつ第１のパケットの前縁すなわちリーダーが親指用切欠き部５６の真下に留まるように配置される。内側延在パネル５２および下端延在パネル９４は、いまや、底端壁を形成すると共にコンテナ１２を裏打ちするために折り込むことができる。
【００３１】
ブリスター帯が装填されかつブリスター開口９２を含む、こうした実施形態に関して、図５および図６に最もよく示されるとおり、ブリスター１２４が開口９２によって捕らえられるように、ブリスター帯は外向きに装填されてもよい。ブリスター開口を持たない実施形態に関して、ブリスター１２４が供給開口６４によって捕らえられるように、ブリスター帯は内向きに装填されてもよい。ブリスター開口９２あるいは供給開口６４によってブリスター１２４を捕らえることで、以下で説明するように、チャイルドプルーフ機能が実現される。全ての実施形態に関して、以下でも説明するように、パケットの装填の際、開口６４を経由し内側パネル１６と上面パネル２４との間を通過させられた後、案内部すなわち第１の縁部１０７は、親指用切欠き部５６を除去した後に、それにアクセスできるように配置されることが好ましい。
【００３２】
ここで図５および図６を参照すると、親指用切欠き部５６は切断ライン５８,６０に沿って分離させられ、これによって図６に示すように、ブリスター１２４の縁部１０７が露出させられる。親指用切欠き部５６は、いかなる形状あるいはサイズを備えていてもよく、しかもそれは、ブリスター１２４を把持し、そしてそれを供出コンテナ１２から引き出すためのアクセス領域を形成するために、凹部８６,８８およびアクセス用切欠き部９０と組み合わされた状態で整列する。ブリスターが外側を向くよう装填される実施形態においては、供出コンテナ１２からブリスター１２４を抜き取ろうとする試みは、ブリスター１２４がブリスター開口９２の縁部と係合することによって阻止される。それゆえ、たとえ親指用切欠き部５６が引き裂き開放され、除去され、あるいは破壊されても、ブリスター開口９２の縁部とブリスター１２４との係合によって、子供が物品１２１を即座に手に取ることを防止するチャイルドプルーフ機能がもたらされる。このように親指用切欠き部５６およびブリスター開口９２は、チャイルドプルーフ機能を提供するために協働する。ブリスターが内側を向くよう装填される他の実施形態においては、供出コンテナ１２からブリスター１２４を抜き取ろうとする試みは、ブリスター１２４が供給開口６４の縁部と係合することによって阻止される。このように親指用切欠き部５６および供給開口６４は、チャイルドプルーフ機能を提供するために協働する。
【００３３】
ここで図７および図８を参照すると、本発明に基づく供出コンテナ１２が示されているが、これは、少なくとも一つのブリスター１２４を供出するための一連の手法を示している。供出コンテナ１２からブリスター１２４を取り出すために、ユーザーは、片手の指および親指を用いて、上面パネル２４の上端縁部２３,２５の付近で、第１および第２のサイドパネル２２,２６に沿って圧力を加える。加えられた圧力によって上面パネル２４は上方に湾曲させられ、これによってブリスター１２４はブリスター開口９２の周縁部から外れ、つまりそれを通過する。圧力が加えられているとき、ユーザーは、もう一方の手の指と親指を用い、アクセス用切欠き部９０においてブリスター１２４を同時に把持し、そしてブリスター１２４を供出コンテナ１２から外側に引き出す。一つのブリスター１２４が供出コンテナ１２から滑り出るとき、第２の、切り離し可能に連結されたブリスター１２４が前進する。ブリスター１２４を供給するための他の方法は、それがブリスター開口９２の縁の下方に達するまで、ブリスター１２４の表面を内側に押圧することである。ブリスター１２４が供給開口６４と係合する実施形態においては、ユーザーは、縁１０７あるいはブリスター１２４を把持しかつ親指用切欠き部５６を経てブリスターを持上げるか引っ張りながら、上面パネル２４に向かって内側にブリスター１２４の表面を押圧するために、親指用切欠き部５６を経て指を挿入する。
【００３４】
露出させられたブリスター１２４は続いて引き裂きライン１２９に沿って分離させられる(すなわち切り離される)。切り離されたブリスター１２４から物品１２１を取り出すために、明確に理解されるように、ブリスター１２４に対して圧力が加えられ、保護裏当てを引き裂くために物品１２１が押し出される。引き裂きライン１２９に沿ってブリスター１２４を引き裂くのを助けるために、供出コンテナ１２は、パネル１６または２４の一方に対して連結された引き裂きガイドまたはブレードを含んでいてもよく、あるいはそれを含んでいなくてもよい。さらに、供出コンテナは透明であっても、そうでなくてもよく、しかも再使用可能であっても、あるいは使い捨て可能であってもよい。
【００３５】
続いて、図９〜図１３を参照すると、本発明の第２実施形態が示されている。図示する第１実施形態は数多くの共通の構成要素を、図示する第２実施形態と共有するので、前置きの(prefix)「２」または「３」を付加したことを除いて、第２実施形態に現れる共通の構成要素には、図示する第１実施形態と同じ参照数字を付与している。たとえば、最初に図１に示した底面パネル２０は、実質的に、最初に図９に示した底面パネル２２０と同じ構成要素であり、それゆえ両パネルは共に初期要素記号である「２０」を持つ。こうした番号付与規則の利用は、上記説明を無用に繰り返すことなく、第２実施形態を素早く、そして容易に理解することを可能とするであろう。
【００３６】
ここで図９を参照すると、図１３に最もよく示されている供出コンテナ２１２の一実施形態を形成するための代表的なブランク２１０の平面図が示されている。ここで、図示するブランク２１０は、延在すなわち接着パネル２１４と、内側壁セクション２１７および上端壁セクション２１９を含む内側パネル２１６と、底面パネル２２０と、第１のサイドパネル２２２と、上面パネル２２４と、第２のサイドパネル２２６とを具備してなる。パネル２１４,２２０,２２２,２２４,２２６および２１６は、それぞれ、折り曲げライン２２８,２３０,２３２,２３４および２３６に沿って折り曲げ可能に連結されている。内側壁セクション２１７は、第１の折り曲げライン２３７に沿って内側パネル２１６に対して、かつ、第２の折り曲げライン２３９に沿って、やはり受け切欠き２２１を含む上端壁セクション２１９に対して、折り曲げ可能に連結されている。
【００３７】
底面パネル２２０は、受け切欠き２４１および折り曲げライン２４４に沿って、外側端壁パネル２４０に対して折り曲げ可能に取り付けられており、これは、今度は、折り曲げライン２４６に沿って内側端壁パネル２４８に対して折り曲げ可能に連結されている。係合タブ２４９が内側端壁パネル２４８の遠位縁部に配置されている。上面パネル２２４は、切断ライン２６２に沿って、除去可能な上端壁２２５に対して折り曲げ可能に取り付けられており、しかもそれは除去可能な親指用切欠き部２５６を含んでいる。上端壁２２５および上面パネル２２４に隣接しているのが、除去されたセクション２２３である。係合タブ２５０は上端壁２２５に沿って配置されている。上面パネル２２４の逆側端部には、折り曲げライン３００に沿って、底面壁タブ２９４が折り曲げ可能に取り付けられており、しかも底面壁タブ２９４に対しては、下端タブ３０２が折り曲げ可能に取り付けられている。サイドパネル２２２,２２６はそれぞれ、上端ダストカバータブ２７０,２７２および下端ダストカバータブ２７４,２７６に対して、それぞれの折り曲げライン２７８,２８０,２８２,２８４に沿って、折り曲げ可能に連結されている。内側パネル２１６はさらに、内側壁セクション２１７および上端壁セクション２１９の両方にまたがるように配置された、アクセス用切欠き部２９０を備える。
【００３８】
ここで、図示するブランク２１０から図示するディスペンサー２１２を形成するための代表的手順に話題を変えると、図１０に最もよく示されているように、内側パネル２１６は折り曲げられ、そして上面パネル２２４と実質的に平行な状態とされる。図１１において、内側壁セクション２１７は、折り曲げライン２３９が上面パネル２２４に接触しかつ角のある内側壁を形成するように、内向きに折り曲げられていることに留意されたい。続いて、底面パネル２２０が折り曲げられて内側パネル２１６と重なり合うように配置され、そして接着パネル２１４が筒状カートンを形成するためにサイドパネル２２６に対して取り付けられる。この時あるいはその後、切り離し可能に連結されたパケット１０８を、対向する側壁２２２,２２６と、対向する内側パネル２１６および上面パネル２２４とによって形成された空所内に装填することができ、そして第１のパケットの前縁１０７を折り曲げライン２３９と上面パネル２２４との間に通す(セットする)ことができる。この後、下端ダストカバータブ２７４,２７６および底面壁タブ２９４および下端タブ３０２を折り込むことによって、端部を閉塞することができる。
【００３９】
ここで図１２を参照すると、それぞれの受け切欠き２２１,２４１が、それぞれの係合タブ２４９,２５９に直ぐ隣接しかつそれを集合的に受けるような位置に置かれるよう折り込まれた上面壁セクション２１９が示されている。角のある内側壁セクション２１７および角のある上端壁セクション２１９のこの形態は、ディスペンサー２１２からのパケットの取り出しを阻止するか、さもなければ制限するために、共通の縁部(折り曲げライン２１９によって特定される)を上面パネル２２４の内面に対して押し付ける。除去可能な上面壁２２５が続いて上端壁セクション２１９の上に折り込まれ、そして係合タブ２５９が、やはり受け切欠き２２１と接続的に係合するよう受け切欠き２４１内に差し込まれる。
【００４０】
ここで、図１２および図１３を参照すると、上端壁は完全なものとなっており、そしてディスペンサー２１２は、上端ダストタブ２７０,２７２を内側に折り曲げ、続いてダストタブ２７０,２７２を覆うために外側端壁パネル２４０を下方に折り曲げることによって完全に直立した状態となっている。この後、内側端壁パネル２４８がダストタブ２７０,２７２の下方に折り曲げられ、そして係合タブ２４９が、着脱可能な上面壁係合タブ２５９と共に、受け切欠き２４１内に差し込まれる。
【００４１】
実際には、ユーザーは、折り込まれた縁部２３９と上面パネル２２４との間で捕らえられたパケット１２４の前縁１０７を露出させるために親指用切欠き部２５６を除去しかつ除去可能な上面壁２２５を引きちぎることによって、ディスペンサー２１２の内容物にアクセスする。ある実施形態では、上端壁２２５がアクセスに対する付加的障害物として残るように構成できる。パケット１２４に対して、折り込まれた縁部２３９によって加えられる横力の大きさは、概ね、折り込まれた内側壁セクション２１７および上端壁セクション２１９によって加えられる圧力によって決定される。パケット１２４の取り出しに当たって、ユーザーは、狭いアクセス用切欠き２９０を経て指あるいはツールを挿入し、露出させられたパケット１２４の小部分を、通常は(ただし必須ではない)アクセス用切欠き２９０を経て位置させた指と親指用切欠き部２５６の上に位置させた親指との間でつまみ、そしてパケット１２４が滑ることを許容することなく折り込まれた縁部２３９によって加えられる側圧に打ち勝つのに十分な力でパケット１２４を引っ張ることが必要となる。パケット１２４に対する側圧および制限されたアクセスのこの組み合わせが、協働でチャイルドプルーフ特性を提供する。
【００４２】
図示した実施形態から分かるように、チャイルドプルーフ機構は、パケットの供出制限を無効とするために協調動作を必要とする。ある実施形態は、一度に一つのブリスターを順次供出するために供出コンテナ１２からブリスター１２４を同時に引っ張っている間に、隣接パネル間でパケットを捕らえかつ供給開口６４あるいはブリスター開口９２からのブリスターパケットを掛止することによるアクセス制限を伴い、一方、他の実施形態は、(隣接パケットと完全に係合することなく)外力を作用させる隣接パネル間でパケットを捕らえることによるアクセス制限を伴うが、これはディスペンサー１２からのパケットの取り出しを阻止する。別の実施形態は、こうした機能の組み合わせを含む。
【００４３】
本発明の全ての実施可能な形態を図示しかつ説明することを法は要求しておらず、しかもそれは経済的に困難である。したがって、上記実施形態は、本発明の原理の明確な理解のために述べた具現化の代表的説明に過ぎない。特許請求の範囲から逸脱することなく、上記実施形態に対して改変、変更ならびに結合を実施することが可能である。そうした改変、変更および結合の全ては本発明の範疇に包含される。
【図面の簡単な説明】
【００４４】
【図１】本発明に基づく、供出用コンテナブランクの代表的実施形態の平面図である。
【図２】図１のブランクを途中まで組み立てた状態で示す斜視図である。
【図３】本発明に基づく、パケットブランクの代表的実施形態の平面図である。
【図４】本発明に基づく、供出コンテナ内に装填される、折り畳まれたパケット片の平面図である。
【図５】本発明に基づく、その中でパケット片を解放可能に固定するための親指用切欠き部を含む、図３の供出用コンテナの斜視図である。
【図６】本発明に基づく、部分的に除去された親指用切欠き部を含む、図５の供出用コンテナの斜視図である。
【図７】本発明に基づく、図６の供出用コンテナの斜視図であり、一度に一つのパケットを供出するための一連のステップを示している。
【図８】本発明に基づく、図６の供出用コンテナの斜視図であり、一度に一つのパケットを供出するための一連のステップを示している。
【図９】本発明に基づく、代替供出用コンテナブランクの代表的実施形態の平面図である。
【図１０】図９のブランクを途中まで組み立てた状態で示す斜視図である。
【図１１】図１０のブランクをさらに組み立てた状態で示す斜視図である。
【図１２】図１１のブランクをさらに組み立てた状態で示す斜視図である。
【図１３】本発明に基づく、図９のブランクから形成された代表的ディスペンサーの斜視図である。
【符号の説明】
【００４５】
１０  ブランク
１２  供出用コンテナ
１４  接着パネル
１６  内側パネル
１８  内側サイドパネル
２０  底面パネル
２２  第１のサイドパネル
２４  上面パネル
２６  第２のサイドパネル
２８,３０,３２,３４,３６,３８  折り曲げライン
４０  第１の内側延在パネル
４２  第２の内側延在パネル
４３  切断ライン
４４,４６  折り曲げライン
４８  第１の内側タブ
５０  第２の内側タブ
５２,５４  折り曲げライン
５６  親指用切欠き部
５８  分離ライン
５９  ストッパータブ
６０  分離ライン(フルデプス切り込み)
６２  折り曲げライン
６４  供給開口
６６  フルデプス切り込み
６９  折り曲げライン
７０,７２  上端タブ(ダストカバー)
７４,７６  底端パネル
７８,８０,８２,８４  折り曲げライン
８６,８８  凹部
９０  アクセス用切欠き部
９２  ブリスター開口
９４  下端延在パネル
１００  折り曲げライン
１０２  下端タブ
１０４  折り曲げライン
１０８  ブリスター帯
１１０  ブリスター帯ブランク
１１２  裏面パネル
１１４  表面パネル
１１６  長手方向折り曲げライン
１１８  表面セクション
１２０  引き裂きライン
１２２  開口
１２４  物品包含ブリスター
１２６  裏面セクション
１２８,１２９  引き裂きライン
１３０  供出開口
１３２  貫通切り込み
２１０  ブランク
２１２  供出コンテナ
２１４  接着パネル
２１６  内側パネル
２１７  内側壁セクション
２１９  上端壁セクション
２２０  底面パネル
２２２  第１のサイドパネル
２２３  除去されたセクション
２２４  上面パネル
２２５  上端壁
２２６  第２のサイドパネル
２２８,２３０,２３２,２３４,２３６  折り曲げライン
２３７  第１の折り曲げライン
２３９  第２の折り曲げライン
２４０  外側端壁パネル
２４１  受け切欠き
２４４,２４６  折り曲げライン
２４８  内側端壁パネル
２４９,２５０  係合タブ
２５６  親指用切欠き部
２６２  切断ライン
２７０,２７２  上端ダストカバータブ
２７４,２７６  下端ダストカバータブ
２７８,２８０,２８２,２８４  折り曲げライン
２９０  アクセス用切欠き部
２９４  底面壁タブ
３００  折り曲げライン
３０２  下端タブ
【図１】
2009532281.tif 000003
【図２】
2009532281.tif 000004
【図３】
2009532281.tif 000005
【図４】
2009532281.tif 000006
【図５】
2009532281.tif 000007
【図６】
2009532281.tif 000008
【図７】
2009532281.tif 000009
【図８】
2009532281.tif 000010
【図９】
2009532281.tif 000011
【図１０】
2009532281.tif 000012
【図１１】
2009532281.tif 000013
【図１２】
2009532281.tif 000014
【図１３】
2009532281.tif 000015
【国際調査報告】
2009532281.tif 000016
2009532281.tif 000017